(57)【要約】  本発明は、把持部材（５０）に連結された支持部（２１）に取り付けられた少なくとも１つのマッサージ要素（６０）を備える、化粧品を塗布するためのデバイス（１００）に関する。本発明によれば、支持部は、全周縁部にわたりマッサージ要素を囲み、マッサージ要素は、各側において支持部から突出する。
2018522616.tif 000002
【特許請求の範囲】
【請求項１】
化粧品を塗布するためのデバイス（１００、１１０、１２０、１３０、１６０）であって、把持部材に連結された支持部（２１、２２、２３、２４、２７）に取り付けられた少なくとも１つのマッサージ要素（６０、６１）を備える、デバイスにおいて、前記支持部は、全周縁部（８）にわたり前記マッサージ要素を囲むことと、前記マッサージ要素は、各側において前記支持部から突出することとを特徴とする、デバイス。
【請求項２】
前記マッサージ要素は、前記支持部内で回転自在になるように取り付けられることを特徴とする、請求項１に記載のデバイス。
【請求項３】
前記マッサージ要素はボールであることを特徴とする、請求項１または２に記載のデバイス。
【請求項４】
前記支持部の長手方向軸に沿って配置された複数のマッサージ要素を備えることを特徴とする、請求項１から３のいずれか一項に記載のデバイス。
【請求項５】
３つのマッサージ要素を備えることを特徴とする、請求項４に記載のデバイス。
【請求項６】
前記支持部は、１つまたは複数の前記マッサージ要素の形状に倣う外縁部を有することを特徴とする、請求項１から５のいずれか一項に記載のデバイス。
【請求項７】
前記支持部（２２）は、へらを形成することを特徴とする、請求項１から６のいずれか一項に記載のデバイス。
【請求項８】
前記支持部は、剛性材料または半剛性材料から、特に熱可塑性材料から、金属から、ガラスから、またはセラミックから作製されることを特徴とする、請求項１から７のいずれか一項に記載のデバイス。
【請求項９】
前記支持部は、可撓性材料から、特にエラストマー材料から作製されることを特徴とする、請求項１から７のいずれか一項に記載のデバイス。
【請求項１０】
前記支持部（２７）は、可撓性部分（７０）を介して前記把持部材に連結されることを特徴とする、請求項１から９のいずれか一項に記載のデバイス。
【請求項１１】
前記可撓性部分（７０）は、一連の細セクションを備えることを特徴とする、請求項１０に記載のデバイス。
【請求項１２】
前記マッサージ要素は、高い熱拡散性を有する材料から作製されることを特徴とする、請求項１から１１のいずれか一項に記載のデバイス。
【請求項１３】
前記マッサージ要素は、多孔性材料から作製されることを特徴とする、請求項１から１２のいずれか一項に記載のデバイス。
【請求項１４】
塗布されることとなる化粧品を収容するリザーバ（３０）と、請求項１から１３のいずれか一項に記載のデバイス（１００）とを備える、パッケージングおよび塗布アセンブリ（２００）。
【発明の詳細な説明】
【技術分野】
【０００１】
本発明は、把持部材に連結された支持部に取り付けられた少なくとも１つのマッサージ要素を備える、特に化粧品を塗布するための塗布デバイスに関する。
【背景技術】
【０００２】
「化粧品」という表現は、化粧品に関する２００９年１１月３０日の欧州議会および理事会指令（ＥＣ）Ｎｏ１２２３／２００９に定義されるような任意の製品を意味するように理解される。
【０００３】
美容分野において、皮膚に直接的に製品を塗布し、マッサージ効果を得るために、支持部内で回転するボールを備える回転塗布器がしばしば使用される。ボールは、一般的には送達されることとなる製品と永続的に接触状態にある。したがって、塗布される製品量は、ボールが皮膚上で回転するたびに再補充されるため、制御されない。さらに、マッサージ機能は、製品塗布機能から分離されない。
【０００４】
また、ボールは、製品と制御的におよび非永続的に接触状態にあることができるが、かかるシステムは製造がしばしば複雑である。
【０００５】
さらに、このタイプのデバイスは、塗布されることとなる化粧品により左右され、少量のまたは正確な用量を必要とする液体調合物には不向きである。
【０００６】
１つの解決策は、塗布されることとなる製品のリザーバから独立した塗布デバイスの使用を含む。
【０００７】
特許文献１は、一連の単一材料球体から構成され、化粧品リザーバ内に浸漬されるように設計された単体片塗布器を説明している。
【０００８】
特許文献２は、２つの接点により支持部内に保持され、相互から分離されたマッサージ要素を備える塗布器を説明している。
【０００９】
しかし、かかる保持構成は、最適ではなく、支持部上へのマッサージ要素の取付けは、比較的脆弱である。さらに、マッサージ要素同士の間に空部が存在することにより、塗布デバイスがリザーバから外された場合に製品流が不連続になる。
【００１０】
特許文献３は、ボールが空部を備える回転塗布マッサージ器具に関する。
【００１１】
かかる器具は、化粧品塗布に関して人間工学的なものではない。なぜならば、支持部の一側面のみがアクセス可能であるからである。さらに、かかるデバイスは、正確な投与量の化粧品塗布器の美的基準に合致しない。さらに、かかるデバイスの製造は複雑になる。最後に、ボールの空部に進入する製品量が、過剰となる。実際に、例えば目の周囲に塗布する場合には、過剰量の製品がユーザの目と接触状態になる恐れを回避することが重要である。
【００１２】
特許文献４は、リングに挿入されたボールを備えるマッサージ器具を説明している。
【００１３】
かかる要素のサイズは、狭い表面、特に目の周囲などの敏感な領域に製品を塗布するのに適さない。さらに、かかる器具は、正確な領域に塗布する場合の取り扱いが困難である。
【先行技術文献】
【特許文献】
【００１４】
【特許文献１】米国特許出願公開第２０１００２６６３２７号明細書
【特許文献２】米国特許出願公開第２００５０２１７６９１号明細書
【特許文献３】仏国特許第２６０５５１８号明細書
【特許文献４】米国特許第２５１０３９９号明細書
【発明の概要】
【発明が解決しようとする課題】
【００１５】
本発明は、これらの問題の少なくとも１つを解決することを目的とする。
【００１６】
したがって、本発明の目的の１つは、特に目の周囲および顔全体にわたっての両方において皮膚をマッサージ、タップ、およびリフレッシュすることを可能にする、感覚的化粧品を塗布するためのデバイスを提供することである。
【課題を解決するための手段】
【００１７】
本発明は、これらの目的を達成することを目指し、そのために、把持部材に連結された支持部に取り付けられた少なくとも１つのマッサージ要素を備える、化粧品を塗布するためのデバイスを提案する。この塗布デバイスは、前記支持部が、全周縁部にわたり前記マッサージ要素を囲むことと、前記マッサージ要素が、各側において前記支持部から突出することとを特徴とする。
【００１８】
したがって、支持部で全周縁部にわたり前記マッサージ要素を囲むことにより、前記支持部上における前記マッサージ要素の良好な保持が実現されることによって分離リスクが回避される。
【００１９】
また、これにより、支持部の材料とは異なる材料から作製されたマッサージ要素を収容する２材料型塗布部材を形成することが可能となり得る。
【００２０】
有利には、マッサージ要素は、支持部内に圧入またはスナップ嵌めされる。
【００２１】
それにより、必要な場合にマッサージ要素を交換することが簡単になる。
【００２２】
さらに、マッサージ要素を各側において支持部から突出させ得ることにより、ユーザにアクセス可能な塗布表面が増大され得る。したがって、十分な用量の化粧品調合物が、マッサージ要素の表面にわたって拡げられ、膜が形成される。それにより、とりわけ塗布器を反転させて第２の側面を使用することにより、製品中に塗布器を浸け戻す必要性を伴うことなく顔の標的部分への塗布を実施することが可能となる。
【００２３】
一実施形態によれば、支持部は、把持部材と共に成形され得る。
【００２４】
別の実施形態によれば、支持部は、圧着、スナップ嵌め、接着剤結合、または溶接により把持部材に機械的に装着され得る。
【００２５】
好ましくは、マッサージ要素は、支持部内で回転自在になるように取り付けられる。したがって、マッサージ機能は、マッサージ要素が皮膚上で回転することにより最適化される。
【００２６】
有利には、マッサージ要素はボールである。全方向にボールが回転自在であることにより、微小循環を促進する円運動を実施することが可能となる。さらに、これにより、ユーザの快適性が向上し、ユーザは、手首を回転させることなく全方向に製品を塗布することが可能となる。
【００２７】
一変形実施形態によれば、塗布デバイスは、支持部の長手方向軸に沿って配置された複数のマッサージ要素を備える。
【００２８】
特に、塗布デバイスは、３つのマッサージ要素を備える。
【００２９】
したがって、製品を収容するリザーバ内に塗布デバイスを再浸漬する必要性を伴わずに、より広い領域にわたり製品を塗布することが可能となる。
【００３０】
一実施形態によれば、支持部は、１つまたは複数のマッサージ要素の形状に倣う外縁部を有する。
【００３１】
これにより、特にデバイスが複数のマッサージ要素を、特に複数のボールを有する場合には、塗布デバイス上のマッサージ要素がより美的に好ましいものとなる。
【００３２】
代替的には、支持部は、へらを形成する。
【００３３】
これにより、塗布デバイスが容器から引き出された場合に、最適な流体流がもたらされる。
【００３４】
一実施形態によれば、支持部は、剛性材料または半剛性材料から、特に熱可塑性材料から、金属から、またはセラミックから作製される。
【００３５】
したがって、支持部は、分離リスクを制限するようにマッサージ要素の最適な保持をもたらす。
【００３６】
例えば、支持部は、ポリプロピレン、ポリオキシメチレン、ポリブチレンテレフタレート、アクリロニトリルブタジエンスチレン、またはザマックから作製され得る。
【００３７】
別の実施形態によれば、支持部は、可撓性材料から、特にエラストマー材料から作製される。
【００３８】
これにより、支持部は柔軟かつ可撓性になり、それによって製品が塗布される皮膚の表面の形状に適合することが可能となる。
【００３９】
例えば、支持部は、低密度ポリエチレン、サントプレーン（Ｓａｎｔｏｐｒｅｎｅ）、シリコーン、またはスチレンエチレン−ブチレンスチレンから作製され得る。
【００４０】
特に、支持部は、可撓性部分を介して把持部材に連結される。
【００４１】
したがって、化粧品の塗布中に、可撓性部分は、支持部に柔軟性を与え、支持部は、支持部を作製する材料が何であるかに関わらず、皮膚の表面の形状に適合することが可能となる。また、これにより、皮膚上へのタッピングをソフトにすることが可能となる。
【００４２】
これは、変形により大きな力を必要とするがマッサージ要素の保持のためにはより好ましい剛性材料から作製された支持部の場合に、特に興味深いものとなる。
【００４３】
別の実施形態によれば、支持部は、ツーショット射出成形プロセスにより作製される。ツーショット射出成形プロセスは、２つの異なる材料の成形として理解されたい。例えば、支持部は、柔軟材料から構成される部分と、剛性材料から構成される部分とを備え得る。これにより、前記支持部の可撓性を確保しつつ、支持部上に前記マッサージ要素を良好に保持することが可能となる。
【００４４】
有利な一変形例によれば、マッサージ要素は、高い熱拡散性を有する材料から作製される。これにより、特に塗布中の「冷却効果」を生じさせることが可能となる。実際に、マッサージに付加される冷却効果は、感覚状態を向上させ、微小循環を活性化し得ることが判明している。
【００４５】
例えば、マッサージ要素は、エナメル被覆セラミックから、ガラスまたは金属材料から、特にステンレス鋼、アルミニウム、もしくはザマックから作製され得る。
【００４６】
代替的にはまたは追加的には、マッサージ要素は、多孔性材料または若干粗面の材料から作製される。これにより、マッサージ要素上への製品保持または調合物保持を向上させることが、したがって前記マッサージ要素上へのより多量の製品保持が可能となる。
【００４７】
例えば、マッサージ要素は、レリーフを有するプラスチック材料から、エラストマー材料から、多孔性焼結材料から、多孔性セラミックから、木材から作製され得るか、または植毛コーティングで覆われることも可能である。
【００４８】
効果的なアセンブリをもたらす支持部のおよびマッサージ要素の材料のあらゆる組合せが考えられる。
【００４９】
また、本発明は、塗布されることとなる化粧品を収容するように設計されたリザーバと、本発明による塗布デバイスとを備えるパッケージングおよび塗布アセンブリに関する。
【００５０】
好ましくは、塗布デバイスは、リザーバ内に収容され、前記リザーバ用の閉鎖部材としての役割を果たし得る。
【００５１】
有利には、化粧品は、セラム、オイル、フローラルウォータ、美容液、マイクロエマルション、または香水であってもよい。
【００５２】
添付の図面を参照として以下の詳細な説明を読むことにより、本発明がよりよく理解されよう。
【図面の簡単な説明】
【００５３】
【図１】本発明による塗布デバイスを備えるパッケージングおよび塗布アセンブリの第１の実施形態を示す図である。
【図２】本発明による塗布デバイスの部分概略図である。
【図２ａ】図２に示す部分概略図の側面図である。
【図３】本発明による塗布デバイスの第１の実施形態を示す図である。
【図４】本発明による塗布デバイスの第２の実施形態を示す図である。
【図５】本発明による塗布デバイスの第３の実施形態を示す図である。
【図６】本発明による塗布デバイスの第４の実施形態を示す図である。
【図７】本発明による塗布デバイスの第５の実施形態を示す図である。
【図８】本発明による塗布デバイスの第６の実施形態を示す図である。
【発明を実施するための形態】
【００５４】
図１に示すように、パッケージングおよび塗布アセンブリ２００は、円筒状リザーバ３０および塗布デバイス１００を備える。リザーバ３０は、ベース３１により閉じられる。代替的には、リザーバは、本発明の範囲から逸脱することなく別の形状であることができる。
【００５５】
塗布デバイス１００は、塗布部材２０に一方の端部が固定されたステム１０に装着された円筒状キャップ５０を備える。
【００５６】
一変形実施形態（図示せず）によれば、パッケージングアセンブリ２００は、リザーバ側に円形ワイプリップを有する、例えばグローブのフィンガの形態などの、ネック内に配置されたワイプ部材を備える。ワイプ部材は、エラストマーまたは熱可塑性材料から構成されてもよく、これらの材料はとりわけ熱可塑性エラストマーおよび天然ゴムまたは合成ゴムの中から選択され得る。
【００５７】
開位置において、塗布デバイス１００は、リザーバ３０内に収容された製品Ｐと接触状態にあるまたはないことが自在となる。したがって、キャップ５０は、塗布部材２０を把持するおよび取り扱うための部材としての役割を果たす。
【００５８】
閉位置において、キャップ５０は、リザーバ３０を封止し、塗布部材２０は、リザーバ３０内に収容された製品Ｐ内に少なくとも部分的に浸漬される。
【００５９】
図２および図２ａに示すように、塗布器２０は、支持部２１および３つのマッサージ要素６０を備える。
【００６０】
支持部２１およびステム１０は、長手方向軸Ｘに沿って延在する。必要に応じて、ステム１０の軸との間に非ゼロ角度を、特に３０°未満の角度を形成する軸Ｘの支持部２１を設けることが可能である。
【００６１】
有利には、支持部２１は、ステム１０上に装着端部片７を圧着、スナップ嵌め、接着剤結合、または溶接することにより把持部材のステム１０に機械的に装着される。代替的には、支持部２１は、ステム１０と単体片で成形されることにより実現される。
【００６２】
図２ａに示すように、支持部２１は、全周縁部８にわたりマッサージ要素６０を囲み、マッサージ要素６０は、各側において支持部２１から突出する。
【００６３】
有利には、マッサージ要素６０は、支持部２１内で回転自在になるように取り付けられる。組立は、スナップ嵌めまたは当業者に既知である様々な技術を利用することにより実現され得る。
【００６４】
代替的には、マッサージ要素６０は、特に圧着により支持部２１内に把持されて組み立てられてもよい。
【００６５】
好ましくは、マッサージ要素６０は、図１〜図６に示すようなボールであってもよい。
【００６６】
代替的には、マッサージ要素は、図７の塗布器１７０に示すような円筒状ローラ６２であってもよい。この実施形態では、マッサージ要素６２は、ステムと長手方向に直線状に延在する単軸Ｘを中心として回転可能である。
【００６７】
マッサージ要素が支持部内に固定されて取り付けられる場合には、このマッサージ要素は、図８の塗布器１８０に示すようなオリーブ状部６３の形状を取り得る。マッサージ要素は、様々な形状を採用してもよく、例えば正面図において、マッサージ要素は、正方形、楕円形、円形、矩形、滴形、または星形であってもよい。
【００６８】
図１、図２、図２ａ、および図４〜図６に示す一実施形態によれば、支持部は、マッサージ要素の形状に倣う外縁部を有する。
【００６９】
図３に示す別の実施形態によれば、塗布デバイス１１０の支持部２２は、平坦状へらを形成する。
【００７０】
図３〜図６は、図１の塗布デバイス１００の様々な実施形態を示す。より正確には、図３〜図５は、マッサージ要素の個数が異なる。実際に、塗布部材１１０は、単一のマッサージ要素６０を備え、塗布部材１２０は、２つのマッサージ要素６０を有し、塗布部材１３０は、３つのマッサージ要素６０を備える。
【００７１】
支持部は、剛性材料または半剛性材料から作製され得る。特に、図３の塗布デバイス１１０は、熱可塑性材料から作製された支持部２２を備える。また、この支持部は、金属から作製されてもよい。例えば、支持部は、ポリプロピレン、ポリオキシメチレン、ポリブチレンテレフタレート、アクリロニトリルブタジエンスチレン、またはザマックから作製され得る。
【００７２】
代替的には、塗布デバイスは、柔軟材料から、特にエラストマーまたはポリマー材料から作製された支持部を備えてもよい。
【００７３】
例えば、支持部は、ポリエチレン材料、サントプレーン（Ｓａｎｔｏｐｒｅｎｅ）、シリコーン、またはスチレンエチレン−ブチレンスチレンから作製され得る。
【００７４】
図３〜図５に示す実施形態によれば、塗布デバイスのマッサージ要素６１は、プラスチックボールである。
【００７５】
代替的には、マッサージ要素の一部またはすべてが、金属材料から、特に高い熱拡散性を有する材料から作製され得る。
【００７６】
さらに、マッサージ要素は、圧縮性材料または柔軟材料から作製され得る。
【００７７】
マッサージ要素は、同一材料から必ずしもすべてが構成されない。したがって、ある支持部は、例えば高い熱拡散性および多孔性を有する、またはプラスチック製および金属製であるマッサージ要素を備えてもよい。
【００７８】
別の実施形態によれば、図６に示すように、塗布デバイス１６０は、可撓性部分７０を介して把持部材に連結された支持部２７を有する。可撓性部分７０は、アコーディオン状の一連の連続細セクションを有する。可撓性部分７０は、様々な形状を有してもよく、例えば鋸歯プロファイル、砂時計プロファイル、または任意の他の形状の細セクションを有し得る。代替的には、可撓性部分７０は、剛性材料から作製された部分と、可撓性材料または柔軟材料から作製された部分とを備え得る。
【００７９】
本発明は、本説明内に列挙された例に限定されない。支持部の形状、支持部の材料、マッサージ要素の材料、およびマッサージ要素の個数のあらゆる組合せが、本発明の範囲内に含まれる。
【符号の説明】
【００８０】
７  装着端部片
８  全周縁部
１０  ステム
２０  塗布部材、塗布器
２１  支持部
２２  支持部
２７  支持部
３０  円筒状リザーバ
３１  ベース
５０  円筒状キャップ
６０  マッサージ要素
６１  マッサージ要素
６２  円筒状ローラ、マッサージ要素
６３  オリーブ状部
７０  可撓性部分
１００  塗布デバイス
１１０  塗布デバイス、塗布部材
１２０  塗布部材
１３０  塗布部材
１６０  塗布デバイス
１７０  塗布器
１８０  塗布器
２００  パッケージングおよび塗布アセンブリ
Ｐ  製品
Ｘ  長手方向軸
【図１】
2018522616.tif 000003
【図２】
2018522616.tif 000004
【図２ａ】
2018522616.tif 000005
【図３】
2018522616.tif 000006
【図４】
2018522616.tif 000007
【図５】
2018522616.tif 000008
【図６】
2018522616.tif 000009
【図７】
2018522616.tif 000010
【図８】
2018522616.tif 000011
【国際調査報告】
2018522616.tif 000012
2018522616.tif 000013